(57)【要約】      （修正有）【課題】パッケージの搭載面に対して水平方向へキャップがずれることなく、一度に複数のパッケージに対してそれぞれのキャップの位置決めを正確に行なう。【解決手段】位置決め治具には、パッケージ５を配する３６個の配置部２がパレット１上に設けられている。パレット１には、キャップ６をパッケージ５に引き付けさせるよう磁力を発する３６個の矩形状の磁気手段３が設けられている。この磁気手段３は、パレット１の３６個の配置部２ごとに対応して各配置部２の下方に設けられ。この磁気手段３は、その外周縁部３１の磁力が強いＳｍ−Ｃｏ系磁石からなっており、パッケージ５のキャップ６を搭載する搭載面５１の外周縁部が強磁される。磁気手段３は、上方側端部３２と下方側端部３３とでその極性が異なるよう配されている。また、３６個の磁気手段３は、それぞれ隣接する磁気手段３と極性が異なるよう設けられている。【選択図】図５
2005142214.tif 000002
【特許請求の範囲】
【請求項１】
複数の非磁性体のパッケージを配する、予め設定した間隙からなる複数の配置部がパレット上に設けられ、前記配置部に配されたパッケージに磁性体のキャップを搭載する際、前記パッケージへの前記キャップの位置決めを行なうパッケージのキャップ位置決め治具において、
前記キャップを前記パッケージに引き付けさせるよう磁力を発する複数の磁気手段が、前記パレットの複数の前記配置部ごとに対応して設けられ、
前記磁気手段は、前記配置部の近傍部分と遠方部分とでその極性が異なるよう配され、この磁力により前記パッケージの前記キャップを搭載する搭載面外周縁部が強磁されることを特徴とするパッケージのキャップ位置決め治具。
【請求項２】
複数の非磁性体のパッケージを配する、予め設定した間隙からなる複数の配置部がパレット上に設けられ、前記配置部に配されたパッケージに磁性体のキャップを搭載する際、前記パッケージへの前記キャップの位置決めを行なうパッケージのキャップ位置決め治具において、
前記キャップを前記パッケージに引き付けさせるよう磁力を発する複数の磁気手段が、前記パレットの複数の前記配置部ごとに対応して設けられ、
前記磁気手段は、それぞれ隣接する前記磁気手段と極性が異なるよう設けられたことを特徴とするパッケージのキャップ位置決め治具。
【請求項３】
複数の非磁性体のパッケージを配する、予め設定した間隙からなる複数の配置部がパレット上に設けられ、前記配置部に配されたパッケージに磁性体のキャップを搭載する際、前記パッケージへの前記キャップの位置決めを行なうパッケージのキャップ位置決め治具において、
前記キャップを前記パッケージに引き付けさせるよう磁力を発する複数の磁気手段が、前記パレットの複数の前記配置部ごとに対応して設けられ、
前記磁気手段は、前記配置部の近傍部分と遠方部分とでその極性が異なるよう配されるとともに、それぞれ隣接する前記磁気手段と極性が異なるよう設けられ、
前記磁力により前記パッケージの前記キャップを搭載する搭載面外周縁部が強磁されることを特徴とするパッケージのキャップ位置決め治具。
【請求項４】
請求項１乃至３のいずれかに記載のパッケージのキャップ位置決め治具において、
前記パレットの外周縁部には、近傍の隣接する前記磁気手段と極性が異なり、前記配置部に対応しない第２の磁気手段が設けられたことを特徴とするパッケージのキャップ位置決め治具。
【請求項５】
請求項１乃至４のいずれかに記載のパッケージのキャップ位置決め治具において、
前記磁気手段は、永久磁石から構成されることを特徴とするパッケージのキャップ位置決め治具。
【請求項６】
請求項５に記載のパッケージのキャップ位置決め治具において、
前記永久磁石は、Ｓｍ−Ｃｏ系磁石であることを特徴とするパッケージのキャップ位置決め治具。
【請求項７】
請求項１乃至４のいずれかに記載のパッケージのキャップ位置決め治具において、
前記磁気手段は、電磁石から構成されることを特徴とするパッケージのキャップ位置決め治具。
【請求項８】
複数の非磁性体のパッケージをパレット上の予め設定した間隙からなる複数の配置部に配し、前記配置部に配した前記パッケージに磁性体のキャップを搭載する際、前記パッケージへの前記キャップの位置決めを行なうパッケージのキャップ位置決め方法において、
前記パレットの複数の前記配置部ごとに前記キャップを前記パッケージに引き付けさせるよう独立した磁力を発し、
この磁力は、前記配置部の近傍部分と遠方部分とでその極性が異なるとともに、前記パッケージの前記キャップを搭載する搭載面外周縁部を強磁することを特徴とするパッケージのキャップ位置決め方法。
【請求項９】
複数の非磁性体のパッケージをパレット上の予め設定した間隙からなる複数の配置部に配し、前記配置部に配した前記パッケージに磁性体のキャップを搭載する際、前記パッケージへの前記キャップの位置決めを行なうパッケージのキャップ位置決め方法において、
前記パレットの複数の前記配置部ごとに前記キャップを前記パッケージに引き付けさせるよう独立した磁力を発し、
この磁力の極性は、それぞれ隣接する前記配置部ごとに異なることを特徴とするパッケージのキャップ位置決め方法。
【請求項１０】
複数の非磁性体のパッケージをパレット上の予め設定した間隙からなる複数の配置部に配し、前記配置部に配した前記パッケージに磁性体のキャップを搭載する際、前記パッケージへの前記キャップの位置決めを行なうパッケージのキャップ位置決め方法において、
前記パレットの複数の前記配置部ごとに前記キャップを前記パッケージに引き付けさせるよう独立した磁力を発し、
この磁力は、前記配置部の近傍部分と遠方部分とでその極性が異なるとともに、前記パッケージの前記キャップを搭載する搭載面外周縁部を強磁し、かつ、この磁力の極性は、それぞれ隣接する前記配置部ごとに異なることを特徴とするパッケージのキャップ位置決め方法。
【発明の詳細な説明】
【技術分野】
【０００１】
本発明は、非磁性体のパッケージに磁性体のキャップを搭載する際のパッケージとキャップとの接合において、パッケージへのキャップの位置決めを行なうパッケージのキャップ位置決め治具およびパッケージのキャップ位置決め方法に関する。
【背景技術】
【０００２】
現在、半導体パッケージや水晶振動子などの電子部品は、電子部品を備えるＰＣや携帯電話などの装置の小型化にともなって小型化が進んでいる。そのため、従来の方法で電子部品を製造する場合、歩留まりが悪くなる。
【０００３】
これについては、例えば、電子部品を製造する工程において、電子部品の筐体であるパッケージに素子を備え、パッケージにキャップを搭載して素子を気密封止する工程がある。
【０００４】
この工程では、複数のパッケージに対して複数のキャップを一度に搭載するため、パッケージへのキャップの搭載位置がずれる場合がある。このキャップの搭載位置のずれは、電子部品の寸法が小さくなるにつれて顕著に表れる。すなわち、電子部品の寸法に対するキャップの搭載位置のずれは、電子部品の小型化にともない相対的に大きくなり、素子を気密封止することができないことがある。
【０００５】
そこで、この問題を解決した従来の技術に、永久磁石を用いてパッケージへのキャップの位置決めを行なう技術がある（例えば、特許文献１ご参照。）。
【０００６】
この下記する特許文献１に開示のキャップ仮止め用治具は、図１４〜１７に示すように、上面に矩形の凹部９２が形成された非磁性材からなる保持基板９１の凹部９２に、凹部９２の長手方向の軸線９３を中心に左右対称の２極に磁化した永久磁石９４を装填し、この保持基板９１の上面にパッケージの位置決め孔９５が形成された非磁性材製の位置決め板９６を固定もしくは載置することにより、パッケージ（図示省略）とキャップ（図示省略）とが永久磁石９４による磁界の磁路を形成するようにしたものである。
【０００７】
この治具によれば、キャップとパッケージとが永久磁石９４の磁界が通る磁路の一部を形成するようにしているので、磁石及び保持基板の加工や組立が簡素となる。
【特許文献１】特開平０８−３０６８１３号公報
【発明の開示】
【発明が解決しようとする課題】
【０００８】
上記した特許文献１に開示のキャップ仮止め用治具によれば、図１７に示すように、凹部９２の長手方向の軸線９３を中心に左右対称の２極に磁化した永久磁石９４を装填されている。そのため、キャップとパッケージとが永久磁石９４の磁界が通る磁路の一部を形成している。
【０００９】
しかしながら、永久磁石９４は、凹部９２の長手方向の軸線９３を中心として左右対称の２極に磁化されているので、その永久磁石９４の磁力線の向きは、凹部９２の長手方向（図１４では水平方向）に発生する。そのため、永久磁石９４の磁力線の向きが水平方向であるので、例えば、図１８に示すようにパッケージ９７の搭載面に対して水平方向へキャップ９８がずれる可能性がある。
【００１０】
そこで、上記課題を解決するために、本発明は、パッケージの搭載面に対して水平方向へキャップがずれることなく、一度に複数のパッケージに対してそれぞれのキャップの位置決めを正確に行なうパッケージのキャップ位置決め治具およびパッケージのキャップ位置決め方法を提供することを目的とする。
【課題を解決するための手段】
【００１１】
上記の目的を達成するため、本発明に係るパッケージのキャップ位置決め治具は、複数の非磁性体のパッケージを配する、予め設定した間隙からなる複数の配置部がパレット上に設けられ、前記配置部に配されたパッケージに磁性体のキャップを搭載する際、前記パッケージに対する前記キャップの位置決めを行なうパッケージのキャップ位置決め治具において、前記キャップを前記パッケージに引き付けさせるよう磁力を発する複数の磁気手段が、前記パレットの複数の前記配置部ごとに対応して設けられ、前記磁気手段は、前記配置部の近傍部分と遠方部分とでその極性が異なるよう配され、この磁力により前記パッケージの前記キャップを搭載する搭載面外周縁部が強磁されることを特徴とする。
【００１２】
本発明によれば、磁力を発する複数の磁気手段が、パレットの複数の配置部ごとに対応して設けられ、磁気手段は、配置部の近傍部分と遠方部分とでその極性が異なるよう配され、この磁力によりパッケージのキャップを搭載する搭載面外周縁部が強磁されるので、複数の磁気手段の磁力により、それぞれの磁気手段に対応した配置部に配される複数のパッケージへのキャップの搭載を独立して行なうことが可能となる。また、磁力によりパッケージのキャップを搭載する搭載面外周縁部が強磁されるので、パッケージへのキャップの搭載が、パッケージの搭載面外周縁部外にずれることなく、予め設定したパッケージの搭載位置への搭載が可能となる。その結果、パッケージの搭載面に対して水平方向へキャップがずれることなく、一度に複数のパッケージに対してそれぞれのキャップの位置決めを正確に行なうことが可能となり、パッケージへのキャップの搭載に関する歩留まりをよくすることが可能となる。
【００１３】
また、上記の目的を達成するため、本発明に係るパッケージのキャップ位置決め治具は、複数の非磁性体のパッケージを配する、予め設定した間隙からなる複数の配置部がパレット上に設けられ、前記配置部に配されたパッケージに磁性体のキャップを搭載する際、前記パッケージに対する前記キャップの位置決めを行なうパッケージのキャップ位置決め治具において、前記キャップを前記パッケージに引き付けさせるよう磁力を発する複数の磁気手段が、前記パレットの複数の前記配置部ごとに対応して設けられ、前記磁気手段は、それぞれ隣接する前記磁気手段と極性が異なるよう設けられたことを特徴とする。
【００１４】
本発明によれば、磁力を発する複数の磁気手段が、パレットの複数の配置部ごとに対応して設けられ、磁気手段は、それぞれ隣接する磁気手段と極性が異なるよう設けられているので、複数の磁気手段の磁力により、それぞれの磁気手段に対応した配置部に配される複数のパッケージへのキャップの搭載を独立して行なうことが可能となる。特に、磁気手段は、それぞれ隣接する磁気手段と極性が異なるよう設けられているので、隣接する磁気手段の磁力にキャップが引き付けられるのを防止することが可能となる。その結果、パッケージの搭載面に対して水平方向へキャップがずれることなく、一度に複数のパッケージに対してそれぞれのキャップの位置決めを正確に行なうことが可能となり、パッケージへのキャップの搭載に関する歩留まりをよくすることが可能となる。
【００１５】
また、上記した２つの本発明に係るパッケージのキャップ位置決め治具の構成を組み合わせることで、更に好ましく、パッケージの搭載面に対して水平方向へキャップがずれることなく、一度に複数のパッケージに対してそれぞれのキャップの位置決めを正確に行なうことが可能となり、パッケージへのキャップの搭載に関する歩留まりをよくすることが可能となる。
【００１６】
次に、上記構成において、上記パレットの外周縁部には、近傍の隣接する上記磁気手段と極性が異なり、上記配置部に対応しない第２の磁気手段が設けられてもよい。
【００１７】
この場合、パレットの外周縁部に第２の磁気手段が設けられているので、パレットの外周縁部に隣接する磁気手段の磁力の安定化を図ることが可能となる。すなわち、パレット中央部に設けられた磁気手段に対応した配置部への磁力は、その隣接する磁気手段から発する磁力の影響を多少受けるが、これと同様の環境をパレットの外周縁部側に設けられた磁気手段に対応した配置部においてもつくることが可能となる。その結果、全ての配置部に対して同一の強さの磁力を発することが可能となり、一度に複数のパッケージに対してそれぞれのキャップの位置決めを正確に行なうことが可能となる。
【００１８】
具体的に、上記構成において、上記磁気手段は、永久磁石から構成されてもよい。また、永久磁石は、その外周縁部の磁力が強いＳｍ−Ｃｏ系磁石であることがさらに好ましい。
【００１９】
また、磁気手段は永久磁石に限定されるものではなく、例えば、上記構成において、上記磁気手段は、電磁石から構成されてもよい。
【００２０】
また、上記の目的を達成するため、本発明に係るパッケージのキャップ位置決め方法は、複数の非磁性体のパッケージをパレット上の予め設定した間隙からなる複数の配置部に配し、前記配置部に配した前記パッケージに磁性体のキャップを搭載する際、前記パッケージに対する前記キャップの位置決めを行なうパッケージのキャップ位置決め方法において、前記パレットの複数の前記配置部ごとに前記キャップを前記パッケージに引き付けさせるよう独立した磁力を発し、この磁力は、前記配置部の近傍部分と遠方部分とでその極性が異なるとともに、前記パッケージの前記キャップを搭載する搭載面外周縁部を強磁することを特徴とする。
【００２１】
本発明によれば、パレットの複数の配置部ごとにキャップをパッケージに引き付けさせるよう独立した磁力を発し、この磁力は、配置部の近傍部分と遠方部分とでその極性が異なるとともに、パッケージの搭載面外周縁部を強磁するので、複数の磁力により、複数の配置部に配される複数のパッケージへのキャップの搭載を独立して行なうことが可能となる。また、磁力は、パッケージの搭載面外周縁部を強磁するので、パッケージへのキャップの搭載が、パッケージの搭載面外周縁部外にずれることなく、予め設定したパッケージの搭載位置への搭載が可能となる。その結果、パッケージの搭載面に対して水平方向へキャップがずれることなく、一度に複数のパッケージに対してそれぞれのキャップの位置決めを正確に行なうことが可能となり、パッケージへのキャップの搭載に関する歩留まりをよくすることが可能となる。
【００２２】
また、上記の目的を達成するため、本発明に係るパッケージのキャップ位置決め方法は、複数の非磁性体のパッケージをパレット上の予め設定した間隙からなる複数の配置部に配し、前記配置部に配した前記パッケージに磁性体のキャップを搭載する際、前記パッケージに対する前記キャップの位置決めを行なうパッケージのキャップ位置決め方法において、前記パレットの複数の前記配置部ごとに前記キャップを前記パッケージに引き付けさせるよう独立した磁力を発し、この磁力の極性は、それぞれ隣接する前記配置部ごとに異なることを特徴とする。
【００２３】
本発明によれば、パレットの複数の配置部ごとにキャップをパッケージに引き付けさせるよう独立した磁力を発し、この磁力の極性は、それぞれ隣接する配置部ごとに異なるので、複数の磁力により、複数の配置部に配される複数のパッケージへのキャップの搭載を独立して行なうことが可能となる。また、各配置部における磁力は、それぞれ隣接する配置部における磁力と極性が異なるので、隣接する磁気手段の磁力にキャップが引き付けられるのを防止することが可能となる。その結果、パッケージの搭載面に対して水平方向へキャップがずれることなく、一度に複数のパッケージに対してそれぞれのキャップの位置決めを正確に行なうことが可能となり、パッケージへのキャップの搭載に関する歩留まりをよくすることが可能となる。
【００２４】
また、上記した２つの本発明に係る位置決め方法の構成を組み合わせることで、更に好ましく、パッケージの搭載面に対して水平方向へキャップがずれることなく、一度に複数のパッケージに対してそれぞれのキャップの位置決めを正確に行なうことが可能となり、パッケージへのキャップの搭載に関する歩留まりをよくすることが可能となる。
【発明の効果】
【００２５】
本発明に係るパッケージのキャップ位置決め治具およびパッケージのキャップ位置決め方法によれば、パッケージの搭載面に対して水平方向へキャップがずれることなく、一度に複数のパッケージに対してそれぞれのキャップの位置決めを正確に行なうことができる。
【発明を実施するための最良の形態】
【００２６】
以下、本発明の実施の形態について図面を参照して説明する。なお、以下に示す実施の形態では、電子部品の筐体として非磁性体のパッケージと磁性体のキャップとからなるワークに本発明を適用した場合を示す。
【００２７】
本実施の形態にかかるパッケージのキャップ位置決め治具（以下、位置決め治具という）には、図１、２に示すように、パッケージ５（図５参照）を配する３６個の配置部２がパレット１上に設けられている。３６個の配置部２は、パレット１上にマトリックス状に配されている。
【００２８】
このパレット１には、図１、２に示すように、キャップ６（図５参照）をパッケージ５に引き付けさせるよう磁力を発する３６個の矩形状の磁気手段３が設けられている。この磁気手段３は、パレット１の３６個の配置部２ごとに対応して各配置部２の下方に設けられている（図５参照）。この実施の形態では、磁気手段３は、図３に示すように、その外周縁部３１の磁力が強いＳｍ−Ｃｏ系磁石（サマコバ磁石）からなっている。そのため、このＳｍ−Ｃｏ系磁石の磁力により、パッケージ５のキャップ６を搭載する搭載面５１の外周縁部５２が強磁される（図４、５参照）。また、本実施の形態では、この磁気手段３の形状は、キャップ６の形状と略同一であり、キャップ６の外周縁部が強磁される。そのため、パッケージ５へのキャップ６の位置ずれを防止するのに好ましい。
【００２９】
磁気手段３は、図５に示すように、上方側端部３２（本発明でいう配置部２の近傍部分）と下方側端部３３（本発明でいう配置部２の遠方部分）とでその極性が異なるよう配されている。また、３６個の磁気手段３は、それぞれ隣接する磁気手段３と極性が異なるよう設けられている。すなわち、図１、２に示すように、隣接する磁気手段３とは、その上方側端部３２の極性が行列方向にＮ極とＳ極と交互に変わるよう配されている。
【００３０】
また、パレット１は、図５に示すように、平板のパレットベース板１１と、磁気手段３の配置を定める磁気手段ガイド部１２と、磁気手段３の露出をカバーするカバー部１３と、パッケージ５の配置を定めるベースガイド部１４とから構成されている。これら平板のパレットベース板１１と磁気手段ガイド部１２とカバー部１３とベースガイド部１４とは、順に積層されている。なお、配置部２は、カバー部１３とベースガイド部１４とにより形成されている。
【００３１】
次に、この位置決め治具を用いたパッケージ５へのキャップ６の搭載方法（本発明でいうパッケージのキャップ位置決め方法を含む）を、図１、４、５を用いて以下に説明する。
【００３２】
まず、上記したように構成された図１に示すパレット１上の３６個の配置部２にそれぞれパッケージ５が配される。そして、３６個のパッケージ５が配された後に、３６個のパッケージ５上空からそれぞれに対応するキャップ６がその搭載面をパッケージ５に向けて接近させる。接近した各キャップ６は、各配置部２の下方に配された磁気手段３の磁力によりパッケージ５に引き付けられ、図４、５に示すように、パッケージ５の搭載面５１に搭載される。この時、磁気手段３の磁力により、それぞれに対応したパッケージ５の搭載面５１の外周縁部５２が強磁されるため、キャップ６の搭載面６１の外周縁部６２が磁化されてキャップ６がパッケージ５の搭載面５１に搭載される。さらに、磁気手段３の磁力により、それぞれに対応したパッケージ５の搭載面５１の外周縁部５２が強磁されるため、図５に示すように、キャップ６の搭載面６１の外周縁部６２は、それぞれ強磁されているパッケージ５の搭載面５１の外周縁部５２に合わさるよう配される。すなわち、キャップ６は、図６に示すようにキャップ６の中心方向へ移動して（図６に示す矢印方向）、キャップ６が予め設定したパッケージ５の搭載位置に搭載される（図４、５参照）。
【００３３】
なお、パッケージ５に搭載されたキャップ６は、それぞれ隣接するキャップ６とその磁性が異なる。すなわち、図１、２に示す左上のキャップ６の搭載面６１はＮ極に磁化されその対向する面はＳ極に磁化される。そして、その右隣のキャップ６およびその下隣のキャップ６の搭載面６１はＳ極に磁化されその対向する面はＮ極に磁化されている。そのため、それぞれ隣接する磁気手段３の磁性が同一である場合と比較して、隣接する磁気手段３から発する磁力により、キャップ６が隣接する磁気手段３に引き寄せられることはない。
【００３４】
また、上記したパッケージ５の搭載面５１には、メタライズ（図示省略）が形成されており、パッケージ５へのキャップ６の搭載の後に、シーム溶接を用いたパッケージ５へのキャップ６の接合（仮止めまたは本止め）が行われている。
【００３５】
上記したように、本実施の形態にかかる位置決め治具および位置決め方法によれば、パッケージ５の搭載面５１に対して水平方向へキャップ６がずれることなく、一度に３６個のパッケージ５に対してそれぞれのキャップ６の位置決めを正確に行なうことができ、パッケージ５へのキャップ６の搭載に関する歩留まりをよくすることができる。
【００３６】
すなわち、本実施の形態にかかる位置決め治具によれば、磁力を発する３６個の磁気手段３が、パレット１の３６個の配置部２ごとに対応して設けられ、磁気手段３は、配置部２の上方側端部３２と下方側端部３３とでその極性が異なるよう配され、この磁力によりパッケージ５の搭載面５１の外周縁部５２が強磁されるので、３６個の磁気手段３の磁力により、それぞれの磁気手段３に対応した配置部２に配される３６個のパッケージ５へのキャップ６の搭載を独立して行なうことができる。また、磁気手段３の磁力によりパッケージ５の搭載面５１の外周縁部５２が強磁されるので、パッケージ５へのキャップ６の搭載が、パッケージ５の搭載面５１の外周縁部５２外にずれることなく、予め設定したパッケージ５の搭載位置への搭載ができる。
【００３７】
また、磁力を発する３６個の磁気手段３が、パレット１の３６個の配置部２ごとに対応して設けられ、磁気手段３は、それぞれ隣接する磁気手段３と極性が異なるよう設けられているので、３６個の磁気手段３の磁力により、それぞれの磁気手段３に対応した配置部２に配される３６個のパッケージ５へのキャップ６の搭載を独立して行なうことができる。特に、磁気手段３は、それぞれ隣接する磁気手段３と極性が異なるよう設けられているので、隣接する磁気手段３の磁力にキャップ６が引き付けられるのを防止することができる。
【００３８】
さらに、本実施の形態にかかる位置決め治具では、上記した特徴的な構成すべてが組み合わされていることが好ましい。
【００３９】
なお、本実施の形態では、３６個の配置部２がパレット１上にマトリックス状に配されているが、これに限定されるものではなく、予め設定した間隙を有していれば、その個数および配列は任意に設定してもよい。
【００４０】
また、本実施の形態では、磁気手段３の形状がキャップ６の形状と略同一であるが、これに限定されるものではなく、磁気手段３により強磁させる対象の形状によって磁気手段の形状を可変させることが好ましい。
【００４１】
また、本実施の形態では、磁気手段３が配置部２の下方に設けられているが、これに限定されるものではなく、パッケージ５およびキャップ６との配置関係が配置部２を挟んだ状態であればよい。
【００４２】
また、本実施の形態では、磁気手段３を３６個用いているが、これに限定されるものではなく、磁気手段３の数は、配置部２の数に対応すればよい。
【００４３】
また、本実施の形態では、矩形状の磁気手段３を用いているが、これに限定されるものではなく、磁力によりパッケージ５の搭載面５１の外周縁部５２が強磁される磁気手段であれば他の形状であってもよい。例えば、磁気手段が、図７に示すような中心部が貫通された環状の磁気手段３４であってもよい。また、磁気手段が、矩形状でなくリング状に形成されてもよい。
【００４４】
また、本実施の形態では、好適な例として、キャップ６を搭載してもパッケージ５の搭載面５１の外周縁が露出するよう設定しているが、これ限定されるものではなく、図８に示すように、キャップ６の搭載面６１の外周縁とパッケージ５の搭載面５１の外周縁を一致させてもよい。この図８では、キャップ６の搭載面の外周縁にパッケージ５の搭載面５１の外周縁を一致させている。
【００４５】
また、本実施の形態では、図１に示すように、磁気手段３の上方側端部３２面が配置部２の配置面２１より小さくなるよう設定されているが、これに限定されるものではなく。図９に示すように、磁気手段３の上方側端部３２面と、配置部２の配置面２１とが同一の大きさで設定されていてもよい。
【００４６】
また、本実施の形態では、配置部２に対応させて磁気手段３を設けているが、図１０に示すように、パレット１の配置部２を形成する面の外周縁部１５に、近傍の隣接する磁気手段３と極性が異なり、配置部２に対応しない第２の磁気手段４が更に設けられてもよい。この場合、パレット１の外周縁部１５に第２の磁気手段４が設けられているので、パレット１の外周縁部１５に隣接する磁気手段３の磁力の安定化を図ることができる。すなわち、パレット１中央部に設けられた磁気手段３に対応した配置部２への磁力は、その隣接する磁気手段３から発する磁力の影響を多少受けるが、これと同様の環境をパレット１の外周縁部１５側に設けられた磁気手段３に対応した配置部２においてもつくることができる。そのため、全ての配置部２に対して同一の強さの磁力を発することができ、更に、一度に３６個のパッケージ５に対してそれぞれのキャップ６の位置決めを正確に行なうことができる。
【００４７】
また、本実施の形態では、電子部品の筐体として非磁性体のパッケージ５と磁性体のキャップ６とからなるワークを用いているが、これは本発明の好適な例である。すなわち、非磁性体のパッケージ５と磁性体のキャップ６とからなるワークに本発明を適用しているため、磁気手段３による磁極の対象がキャップ６だけであり、磁気手段３によるパッケージ５へのキャップ６の位置決め、すなわちキャップ６の位置ずれ防止が最も顕著に表れる。しかしながら、本発明によれば、パッケージ５のキャップ６を搭載する搭載面５１にコバールリング（図示省略）が設けられてもよい。この場合、パッケージ５の搭載面５１にコバールリングが設けられているので、パッケージ５を配置部２に配する際に、磁気手段３へのコバールリングの引き付けにより予め設定した位置に配することができる。その結果、配置部２を例えば図５に示すような凹状に形成しなくてもよい。また、コバールリングが設けられているので、ワークの全体寸法が高くなり、その結果、パッケージ５へのキャップ６の搭載の後に、例えばシーム溶接を用いたパッケージ５へのキャップ６の接合を行なう場合、ローラ電極（図示省略）のパッケージ５およびキャップ６の接合面を広くとることができ、ローラ電極の長寿命化を図ることができる。
【００４８】
また、本実施の形態では、好適な例として磁気手段３がＳｍ−Ｃｏ系磁石からなっているが、これに限定されるものではなく、永久磁石からなっていればよい。また、永久磁石の中でも希土類磁石であることが好ましい。また、磁気手段３は永久磁石に限定されるものではなく、例えば、図１１に示すように、電磁石３５（回路）から構成されてもよい。この図１１における直線の矢印は電流の方向を示し、曲線の矢印は磁界の方向を示し、この定義は下記する図１２、１３においても同様である。さらに、図１２に示すように、各配置部２に対応する電磁石３５が連結されてもよく、この時、図１３に示すように、電流の遮断を行なうスイッチ３６（本発明でいうスイッチ部）が設けられてもよい。この場合、スイッチ３６が設けられているので、パッケージ５へのキャップ６の位置決めを行なった後に、スイッチ３６により接続を無力化することでキャップ６の電磁石３５への引き付け（磁化）を無力化することができる。そのため、この位置決め治具は、位置決めを行なう装置に用いるだけでなく他の製造装置に設けることもできる。ここでいう他の製造装置は、電子部品の製造装置であり、例えば、パッケージ５を供給する装置、不良品を取り出す装置、画像検査装置などがある。また、図１２、１３に示す例では、１電源を用いた回路を示しているが、これに限定されるものではなく、複数電源を用いた回路であってもよい。
【００４９】
また、本実施の形態にかかる位置決め方法によるパッケージ５へのキャップ６の搭載の後のパッケージ５へのキャップ６の接合（仮止めまたは本止め）に、シーム溶接を用いた例を挙げているがこれに限定されるものではなく、パッケージにキャップを載置した後の位置止めであれば、例えば、レーザ溶接、電子ビーム溶接、高周波電源を用いた加熱溶接などの他の溶接であってもよい。
【産業上の利用可能性】
【００５０】
本発明は、半導体パッケージや水晶振動子などの電子部品のパッケージへのキャップの位置決めを行なうのに適用できる。特に小型の電子部品に対して有用である。また、本発明は、位置決めを行なう装置または方法に用いるだけでなく他の製造装置または製造方法に組込むこともでき、その使用用途は多岐にわたる。
【図面の簡単な説明】
【００５１】
【図１】本実施の形態にかかる位置決め治具に設けられたパレットの平面図である。
【図２】図１に示すパレットの一部拡大平面図である。
【図３】本実施の形態にかかる位置決め治具に設けられた磁気手段の平面図である。
【図４】本実施の形態にかかる位置決め治具に設けられた、配置部に配されたパッケージにキャップが搭載された状態のパレットの一部拡大平面図である。
【図５】図４に示すＡ−Ａ線断面図である。
【図６】本実施の形態にかかる位置決め治具に設けられた磁気手段によりパッケージに搭載されたキャップの平面図である。
【図７】本実施の形態にかかる位置決め治具に設けられた、他の形態にかかる磁気手段の平面図である。
【図８】本実施の形態にかかる位置決め治具に設けられた、磁気手段が他の形態である場合のパレットの一部拡大平面図である。
【図９】本実施の形態にかかる位置決め治具に設けられた、磁気手段が他の形態である場合のパレットの一部拡大平面図である。
【図１０】本実施の形態にかかる位置決め治具に第２の磁気手段が設けられた場合のパレットの一部拡大平面図である。
【図１１】本実施の形態のにかかる位置決め治具に設けられた、他の形態である電磁石からなる磁気手段の回路図である。
【図１２】本実施の形態のにかかる位置決め治具に設けられた、磁気手段が電磁石である場合の配置部の平面図である。
【図１３】本実施の形態のにかかる位置決め治具に設けられた、磁気手段がスイッチ部を設けた電磁石である場合の配置部の平面図である。
【図１４】従来のキャップ仮止め用治具の一部省略した拡大断面図である。
【図１５】図１４における位置決め板の平面図である。
【図１６】図１４における保持基板の平面図である。
【図１７】図１５における保持基板に装填される永久磁石の斜視図である。
【図１８】パッケージの搭載面に対して水平方向へキャップがずれた場合のパッケージおよびキャップの平面図である。
【符号の説明】
【００５２】
１  パレット
１５  パレットの外周縁部
２  配置部
３  磁気手段
３２  磁気手段の上方側端部（配置部の近傍部分）
３３  磁気手段の下方側端部（配置部の近傍部分）
３５  電磁石
３６  スイッチ（スイッチ部）
４  第２の磁気手段
５  パッケージ
５１  パッケージの搭載面
５２  パッケージの搭載面外周縁部
６  キャップ
【図１】
2005142214.tif 000003
【図２】
2005142214.tif 000004
【図３】
2005142214.tif 000005
【図４】
2005142214.tif 000006
【図５】
2005142214.tif 000007
【図６】
2005142214.tif 000008
【図７】
2005142214.tif 000009
【図８】
2005142214.tif 000010
【図９】
2005142214.tif 000011
【図１０】
2005142214.tif 000012
【図１１】
2005142214.tif 000013
【図１２】
2005142214.tif 000014
【図１３】
2005142214.tif 000015
【図１４】
2005142214.tif 000016
【図１５】
2005142214.tif 000017
【図１６】
2005142214.tif 000018
【図１７】
2005142214.tif 000019
【図１８】
2005142214.tif 000020